(57)【要約】【課題】ボデー部材に対するカバー部材の取り付けが容易となる構造にすること。【解決手段】内機を固定するボデー部材３と、ボデー部材３の開口３１を覆うカバー部材４と、を備えた住宅用分電盤であって、カバー部材４に係合部４３を備えるとともに、ボデー部材３に被係合部３５を備え、カバー部材４の係合部４３に隣接する位置に、凹凸部４５を設け、カバー部材４を前面方向から移動させたときに、凹凸部４５がボデー部材３の被係合部３５の側部３９にガイドされて、係合部４３と被係合部３５が係合する構成とする。【選択図】図２
2018137904.tif 000002
【特許請求の範囲】
【請求項１】
内機を固定するボデー部材と、ボデー部材の開口を覆うカバー部材と、を備えた電気機器収納用箱であって、カバー部材に係合部を備えるとともに、ボデー部材に被係合部を備え、カバー部材の係合部に隣接する位置に、凹凸部を設け、カバー部材を前面方向から移動させたときに、凹凸部がボデー部材の被係合部の側部にガイドされて、係合部と被係合部が係合する電気機器収納用箱。
【請求項２】
ボデー部材の被係合部を、開口より突出させて形成した請求項１に記載の電気機器収納用箱。
【請求項３】
カバー部材の凹凸部を、カバー部材の開口端部より突出させて形成した請求項１又は２に記載の電気機器収納用箱。
【請求項４】
ボデー部材の下部に、ボデー部材の側枠よりも突出させて形成されたガイド部を備えた請求項２又は３の何れかに記載の電気機器収納用箱。
【発明の詳細な説明】
【技術分野】
【０００１】
本発明は、電気機器収納用箱に関するものである。
【背景技術】
【０００２】
特許文献１に記載されているように、住宅用分電盤は、ボデー部材と、ボデー部材の開口を覆うカバー部材と、を備えることが一般的である。このボデー部材には、主幹ブレーカや分岐ブレーカなどの配電機器が取付台に取り付けられた内機が固定されている。特許文献１に記載された住宅用分電盤は、ボデー部材の上方からカバー部材を引っ掛けた後に、カバー部材の下端に設けた引掛部を係止することで、カバー部材とボデー部材を固定する構造である。
【先行技術文献】
【特許文献】
【０００３】
【特許文献１】特開２００６−１７４６３２号公報
【０００４】
ところで、特許文献１に記載の構造は、ボデー部材の上部とカバー部材を係合させるための位置合わせが難しかった。また、特許文献１に記載の分電盤は、屋内の上方に取り付けられるものであるが、分電盤の上方に十分なスペースが無い場合は、ボデー部材に対して、上方からカバー部材を被せることも難しかった。
【発明の概要】
【発明が解決しようとする課題】
【０００５】
本件の発明は、このような従来技術の改善を求めてなされたものであり、本発明の課題は、ボデー部材に対するカバー部材の取り付けが容易となる構造にすることである。
【課題を解決するための手段】
【０００６】
上記課題を解決するため、次のような手段を採用する。第一の手段は、内機を固定するボデー部材と、ボデー部材の開口を覆うカバー部材と、を備えた電気機器収納用箱であって、カバー部材に係合部を備えるとともに、ボデー部材に被係合部を備え、カバー部材の係合部に隣接する位置に、凹凸部を設け、カバー部材を前面方向から移動させたときに、凹凸部がボデー部材の被係合部の側部にガイドされて、係合部と被係合部が係合する電気機器収納用箱である。
【０００７】
第一の手段において、ボデー部材の被係合部を、開口より突出させて形成した構成とすることが好ましい。
【０００８】
第一の手段において、カバー部材の凹凸部を、カバー部材の開口端部より突出させて形成した構成とすることが好ましい。
【０００９】
また、ボデー部材の下部に、ボデー部材の側枠よりも突出させて形成されたガイド部を備えた構成とすることが好ましい。
【発明の効果】
【００１０】
本発明では、ボデー部材に対するカバー部材の取り付けが容易となる構造にすることが可能となる。
【図面の簡単な説明】
【００１１】
【図１】分電盤の分解斜視図である。
【図２】カバー部材とボデー部材の斜視図である。
【図３】カバー部材とボデー部材を係合させるために、凹凸部と被係合部を接触させた状態を示す斜視図である。
【図４】図３のＩＶ領域における部分拡大である。
【図５】カバー部材とボデー部材を係合させた状態を示す斜視図である。
【図６】図５のＶＩ領域における部分拡大である。
【図７】図２と異なる方向から見た、カバー部材とボデー部材の斜視図である。
【図８】ガイド部にカバー部材が乗り上げた状態を示した斜視図である。
【発明を実施するための形態】
【００１２】
以下に発明を実施するための形態を示す。本実施形態の電気機器収納用箱を用いた分電盤１は住宅に使用されるものであり、図１及び図２に示されることから理解されるように、内機２を固定するボデー部材３と、ボデー部材３の前面側に形成された開口３１を覆うカバー部材４と、を備えている。また、カバー部材４には係合部４３を備えるとともに、ボデー部材３に被係合部３５を備えている。このカバー部材４の係合部４３に隣接する位置には凹凸部４５を設けてあり、カバー部材４を前面方向から移動させたときに、凹凸部４５がボデー部材３の被係合部３５の側部３９にガイドされて、係合部４３と被係合部３５が係合する。したがって、ボデー部材３に対するカバー部材４の取り付けが容易となる構造にすることが可能となる。より具体的には、分電盤１の上方のスペースが狭い場合でも、位置合わせを容易にすることが可能な構造となる。なお、カバー部材４には回動自在に取り付けられる扉４ａが形成しており、扉４ａが閉塞した状態では操作部６２を覆うように形成される。
【００１３】
本実施形態においては、係合部４３はカバー部材４の上部の左右両側に爪状に形成されている。また、この係合部４３と係合する被係合部３５が凹形状に形成されボデー部材３の上部に設けられている。なお、係合部４３が凹形状であって、被係合部３５が爪状で合っても良い。更には、被係合部３５の左側面や右側面に沿って、移動させることができるよう、カバー部材４には凹凸部４５が設けられており、図３及び図４に示すことから理解されるように、凹凸部４５が被係合部３５と接触した状態となれば、カバー部材４は左右方向への移動が抑制される。この状態から後面側にカバー部材４を移動させて、図５及び図６に示すような位置関係となるように位置合わせした上で、カバー部材４のフック部６１をボデー部材３の係止部３２に係止させることで、カバー部材４をボデー部材３に固定する。
【００１４】
本実施形態においては、被係合部３５は、図７に示すように、凹状に形成された窪みであり、この窪みに係合部４３が係合される構造となる。この窪みは係合部４３の左右方向への移動と前方向及び下方向への移動を規制する。このような構造であるため、カバー部材４を上方から落とし込んだ際に、窪みに係合部４３が落とし込まれることの確認ができれば、位置合わせされたことの確認となる。したがって係合部４３と被係合部３５の位置合わせの確認が容易となる。なお、側部３９の上下方向の厚みを厚くすれば、凹凸部４５と側部３９との接触面積を大きくすることが可能となり、カバー部材４のガイドがしやすくなる。
【００１５】
図１に示すことから理解されるように、ボデー部材３の被係合部３５は、開口３１より突出させて形成されている。したがって、凹凸部４５と被係合部３５の位置決めが容易となる。また、カバー部材４の凹凸部４５を、カバー部材４の開口端部より突出させて形成することで位置決めを容易にすることもできる。少なくとも、被係合部３５と凹凸部４５の何れかが突出されるように形成されていればよく、係合部４３と被係合部３５との係合よりも先に凹凸部４５と被係合部３５の右側面や左側面が当接するような構造とする。これにより、カバー部材４に左右方向に強い力が加わってもカバー部材４とボデー部材３の係合が外れることも防止できる。ただし、本実施形態のように、凹凸部４５は突出しておらず、被係合部３５のみ突出している構成であることが望ましい。このようにすれば、凹凸部４５をカバー部材４内に収める構造とすることができ、カバー部材４を移動させる際に、凹凸部４５が周囲に物品に引っかかるようなことが抑制され、取り扱い作業が容易となる。また、作業時にカバー部材４を床面においても、凹凸部４５が床面に接することを回避できる。また、これにより、カバー部材４が不安定な状態で床面におかれることを回避できる。
【００１６】
本実施形態では、ボデー部材３の右下端と左下端にカバー部材４の下端コーナー部をガイドする略Ｌ字状のガイド部３７が設けられている。このガイド部３７は、ボデー部材３の側枠３３よりも突出させて形成されている。このため、カバー部材４の下方から上方向、左右方向に向けて強い力が加わっても、ガイド部３７がカバー部材４の内側面に当接することになり、カバー部材４の移動を抑制することができる。また、カバー部材４をボデー部材３に係止させる際に、カバー部材４が左右方向などにずれていた場合は、図８に示すように、カバー部材４がガイド部３７上に乗ることになる。したがって、位置合わせが間違っていることの確認が容易となる。
【００１７】
なお、本実施形態の被係合部３５は、底面方向に向けて幅が広がるテーパ状の形態としている。これにより、係合部４３を所定位置に案内しやすくなる。
【００１８】
また、本実施形態においてはカバー部材４に係合部４３、凹凸部４５を形成し、ボデー部材３に被係合部３５を形成して位置決めする手段として説明したが、カバー部材４に被係合部３５、ボデー部材３に係合部４３を形成し、位置決めを行うことも可能である。
【００１９】
以上、一つの実施形態を中心に説明してきたが、本発明は上記実施形態に限定されることはなく、各種の態様とすることが可能である。例えば、実施形態では、一つの被係合部に対しては、片方の側面に対してのみ凹凸部が接することが可能な構成としているが、被係合部の左右両側面に凹凸部が接することが可能な構成とすることも可能である。
【符号の説明】
【００２０】
１  分電盤
２  内機
３  ボデー部材
４  カバー部材
３１  開口
３２  係止部
３３  側枠
３５  被係合部
３６  底面
３７  ガイド部
３９  側部
４３  係合部
４５  凹凸部
【図１】
2018137904.tif 000003
【図２】
2018137904.tif 000004
【図３】
2018137904.tif 000005
【図４】
2018137904.tif 000006
【図５】
2018137904.tif 000007
【図６】
2018137904.tif 000008
【図７】
2018137904.tif 000009
【図８】
2018137904.tif 000010